(57)【要約】【課題】ユーザの健康状態を積極的に向上させること。【解決手段】  このサプリマスク１００は、マスク本体１の布材１ａを面方向に互いに引っ張ることで前記開口部３を開け、サプリメント粉５０を前記開口部３からマスク本体１の内部に入れる。サプリメント粉５０の一部は第一仕切部１０で止まり、その他は第一窓部１１から落下する。この落下したサプリメント粉５０の一部は、第二仕切部２０で止まり、その他のサプリメント粉５０は第二窓部２１から落下し、マスク本体１の下端近傍に至る。そして、布材１ａどうしを閉じると共に前記両面テープの離型紙を剥して当該開口部３を閉じ、サプリマスク１００を使用する。マスク本体１は、不織布等の布材１ａからなり高い通気性を有していることから、外側から空気を吸い込むときにサプリメント粉５０を微量に吸い込むことになり、当該サプリメント粉５０を口や鼻から効率よく体内に取り入れることが可能となる。【選択図】図１
2018071028.tif 000002
【特許請求の範囲】
【請求項１】
サプリメント粉を入れるため平面材を重ね合わせて袋状に形成され且つその上部端縁に開口部を有するマスク本体と、当該マスク本体の両側に設けた掛け紐とからなり、
前記マスク本体は、
その略中央位置に前記平面材の非接合部分として形成した第一窓部を有すると共に前記マスク本体の横方向に設けた第一仕切部と、
前記第一窓部の設定範囲に重なって設けられ且つその左右側に前記平面材の非接合部分として形成した第二窓部を有すると共に前記マスク本体の上下方向で前記第一仕切部の下側に設けた第二仕切部と、を備えたことを特徴とするサプリマスク。
【請求項２】
サプリメント粉を入れるため平面材を重ね合わせて袋状に形成され且つその上部端縁に開口部を有すると共にマスクの面に対して貼り付ける取付手段を有するマスク本体を有し、
当該マスク本体は、
その略中央位置に前記平面材の非接合部分として形成した第一窓部を有すると共に前記マスク本体の横方向に設けた第一仕切部と、
前記第一窓部の設定範囲に重なって設けられ且つその左右側に前記平面材の非接合部分として形成した第二窓部を有すると共に前記マスク本体の上下方向で前記第一仕切部の下側に設けた第二仕切部と、を備えたことを特徴とするサプリマスク用シート体。
【発明の詳細な説明】
【技術分野】
【０００１】
本発明は、使用によりサプリメントを摂取できるサプリマスク及びサプリマスク用シート体に関する。
【背景技術】
【０００２】
従来から特許文献１に記載されているような衛生マスクが知られている。この衛生マスクは、細菌や花粉に対するバリア性を持たせた点に特徴がある。この衛生マスクは、その顔面被覆部分が、基材層とナノファイバ層とが積層された積層シートから構成されており、前記基材層は、ナノファイバ層の片面又は両面に積層されると共に多数の貫通孔を有する構成となっている。前記積層シートのナノファイバ層は、繊維径３５０ｎｍ以下のナノファイバからなる。
【先行技術文献】
【非特許文献】
【０００３】
【特許文献１】特開２０１６−６９７８７号公報
【発明の概要】
【発明が解決しようとする課題】
【０００４】
しかしながら、上記特許文献１に記載された衛生マスクは、単に細菌や花粉からのバリア性を持たせた点のみに特徴があり、ユーザの健康状態を積極的に向上させることはできないという問題点がある。本発明は、上記に鑑みてなされたものである。
【課題を解決するための手段】
【０００５】
上述した課題を解決し、目的を達成するために、本発明に係るサプリマスクは、サプリメント粉を入れるため平面材を重ね合わせて袋状に形成され且つその上部端縁に開口部を有するマスク本体と、当該マスク本体の両側に設けた掛け紐とからなり、前記マスク本体は、その略中央位置に前記平面材の非接合部分として形成した第一窓部を有すると共に前記マスク本体の横方向に設けた第一仕切部と、前記第一窓部の設定範囲に重なって設けられ且つその左右側に前記平面材の非接合部分として形成した第二窓部を有すると共に前記マスク本体の上下方向で前記第一仕切部の下側に設けた第二仕切部と、を備えたことを特徴とする。
【０００６】
また、本発明に係るサプリマスク用シート体は、サプリメント粉を入れるため平面材を重ね合わせて袋状に形成され且つその上部端縁に開口部を有すると共にマスクの面に対して貼り付ける取付手段を有するマスク本体を有し、当該マスク本体は、その略中央位置に前記平面材の非接合部分として形成した第一窓部を有すると共に前記マスク本体の横方向に設けた第一仕切部と、前記第一窓部の設定範囲に重なって設けられ且つその左右側に前記平面材の非接合部分として形成した第二窓部を有すると共に前記マスク本体の上下方向で前記第一仕切部の下側に設けた第二仕切部と、を備えたことを特徴とする。
【図面の簡単な説明】
【０００７】
【図１】本発明の実施の形態に係るサプリマスクを示す平面図である。
【図２】図１に示したサプリマスクを示す斜視図である。
【図３】本発明のサプリマスクに用いるサプリ袋を示す説明図である。
【図４】本発明のサプリマスクの使用状態を示す説明図である。
【図５】本発明の実施の形態２に係るサプリマスクを示す平面図である。
【図６】本発明の実施の形態３に係るサプリマスクを示す平面図である。
【図７】本考案の実施の形態４に係るサプリマスクを示す斜視図である。
【図８】マスク本体の一部断面図である。
【図９】本考案のサプリマスクに用いるサプリ袋を示す説明図である。
【図１０】このサプリマスクの使用方法を示す説明図である。
【図１１】このサプリマスクの使用方法を示す説明図である。
【図１２】このサプリマスクの使用方法を示す説明図である。
【発明を実施するための形態】
【０００８】
（実施の形態１）
図１は、本発明の実施の形態に係るサプリマスクを示す平面図である。図２は、図１に示したサプリマスクを示す斜視図である。このサプリマスク１００は、ガーゼや不織布等の平面材の布材１ａを重ねあわせて成形したマスク本体１と、前記マスク本体１の両側に設けた掛け紐２とからなる。布材１ａの繊維の種類は問わない。絹、麻、羊毛、合成繊維のものを適宜使用できる。不織布を用いる場合には、通気性が高い密度のものを用いる。例えば、ポリ乳酸や特殊ポリプロピレンから作られた極細繊維を集成した薄手の不織布フィルターを用いる。
【０００９】
マスク本体１は、サプリメント粉５０を入れるため前記布材１ａの端縁１ｂを縫合することで全体的に袋状に形成されており且つ上部端縁の一部に開口部３が設けられている。この開口部３は、前記上部端縁の中央から左右に所定の寸法だけ設けられる。開口部３には、両面シール４が設けられる。使用前の状態では、両面シール４には離型紙が貼り付けられている。なお、両面シール４に代えてフラップ状の蓋を設けても良い（図示省略）。この蓋は、布材１ａの一部から上側に一体となって延出した帯状体であり、マスク本体１の上部端縁に沿って折り曲げ可能となる。マスク本体１の寸法具体例としては、横方向が１３０ｍｍ、上下方向が９０ｍｍである。
【００１０】
また、マスク本体１は、上下方向の略中央位置に横方向に略直線的に設けた第一仕切部１０を有する。第一仕切部１０は、前記布材１ａの内側面どうしを接合して形成する。例えば、縫い合わせることにより当該第一仕切部１０を形成する。この第一仕切部１０は、上下方向の略中央位置に設けることで、前記開口部３の開口を十分に行うことができる。仮に、当該第一仕切部１０をマスク本体１の上下方向の上側四分の一程度の位置に設けると、前記開口部３の開口が不十分となり、マスク本体１の下まで後述するサプリメント粉５０が落ち難くなる。このため、第一仕切部１０は、マスク本体１の上下方向の下から三分の二以下三分の一以上の位置に設けるのが好ましい。具体例として、第一仕切部１０は上下方向で下から４５ｍｍの位置に設ける。
【００１１】
当該第一仕切部１０の横方向中央には、第一窓部１１が設けられる。この第一窓部１１は、当該第一仕切部１０に設けた布材１ａどうしの非接合部分により形成される。また、第一窓部１１は、前記開口部３を開いたときに布材１ａどうしが開き、そのとき同時に当該第一窓部１１が開くことになるので、第一仕切部１０の中央に設けるのが好ましく、その寸法は、第一仕切部１０の長さの四分の一以上四分の三以下とするのが好ましい。第一窓部１１の寸法具体例としては、５０ｍｍである。
【００１２】
更に、マスク本体１は、前記第一仕切部１０の下側であって且つ上下方向の略四分の一以下六分の一以上の位置に横方向に略直線的に設けた第二仕切部２０を有する。第二仕切部２０は、前記布材１ａの内側面どうしを接合して形成する。例えば、縫い合わせることにより当該第二仕切部２０を形成する。この第二仕切部２０を、第一仕切部１０の下側に設けることで、第一仕切部１０の第一窓部１１を通過したサプリメント粉５０を、余裕をもって受けることができる。このため、第二仕切部２０と第一仕切部１０との間隔は、ある程度確保することが好ましい。その一方で、第二仕切部２０と第一仕切部１０とが離れすぎると、布材１ａを開いた際に第二仕切部２０の後述する第二窓部が開き難くなるので、上記のような位置関係にするのが好ましい。
【００１３】
当該第二仕切部２０の横方向には、第二仕切部２０に設けた布材１ａの非接合部分により形成された第二窓部２１が設けられる。この第二窓部２１は、マスク本体１の上下方向における前記第一窓部１１の設定範囲Ｓに重なり且つ当該設定範囲Ｓの左右側にそれぞれ設けられる。このため、前記第一窓部１１の設定範囲Ｓ内には、中央に第二仕切部２０の接合部分が位置すると共に当該接合部分の左右側に第二窓部２１が位置することになる。これにより、第一窓部１１を通過したサプリメント粉５０の一部が第二窓部２１の両側の第二仕切部２０で止まり、他のサプリメント粉５０は当該第二窓部２１を通過して更に下に落ちる。このようにすれば、マスク本体１の上下方向にサプリメント粉５０が所定量配分されて保持される。第二窓部２１の寸法は、前記開口部３を開いたときに布材１ａどうしが開き、そのときに当該第二窓部２１が開くことになるので、第二仕切部２０の長さの八分の一以上八分の二以下とするのが好ましい。各第二窓部２１の寸法具体例としては、１２．５ｍｍである。
【００１４】
前記第一仕切部１０（第一窓部１１を含む）と前記第二仕切部２０（第二窓部２１を含む）の位置関係及び寸法の具体例は、図１に示した通りである（寸法はｍｍ）。
【００１５】
図３は、本発明のサプリマスク１００に用いるサプリ袋５１を示す説明図である。このサプリ袋５１は、内部に粉末状のサプリメント粉５０が封入された構成である（図中の破断図示の部分に示す）。サプリメント粉５０は、例えば、次の素材を細かく粉砕して所定粒径の粉末状にしたものである。
（１）ニンニク
（２）ハーブ
（３）高麗人参
【００１６】
ニンニクの効能は、抗菌、ガン予防（特に食道、胃、腸などの消化器系の予防）である。また、疲労回復  強壮、強精作用（細胞の酸化を防いだり、新陳代謝を高めて疲労回復を促す作用）やアンチエイジング作用（老化を防いで老廃物を除去する成分により、肌をきれいにして若さを保つこと）、高い殺菌効果、風邪予防、冷え性の改善が期待できる。
【００１７】
ハーブの効能は、ハーブの種類による。例えば、次のようなハーブをサプリメント粉５０として使用できる。
ボルトジンユ：花粉症、糖尿病、血糖値、メタボの改善
バーべインブルー：神経の強壮効果、疲れて眠れない夜の鎮静効果
キャンディミント：鎮静作用、胃もたれ・むかつきの緩和
ムスクマロウ  ピンクムスクマロウ：気管支炎、胃腸障害の緩和
ヒソップブルー：咳止め、疲労回復
レディースマントル：のどの痛みや口内の炎症の緩和
バレリアン（セイヨウカノコソウ）：香りが睡眠をサポート
【００１８】
高麗人参は万能薬として知られていることから、サプリメント粉５０として吸入することで様々な効果が期待できる。
【００１９】
前記サプリ袋５１は、サプリメント粉５０を手軽に扱うために適量を単位として当該サプリメント粉５０を封入している。当該サプリ袋５１は、紙製又は合成樹脂フィルムを袋状にした長尺なスティック形状である。端部は、容易に切断できるように公知の処理や切り込みが適用されている（図示省略）。なお、このサプリ袋５１は、本発明に係るサプリマスク１００の必須構成要件ではないが、このような形でサプリメント粉５０を封入することで、使用上大変利便性が高いものとなる。
【００２０】
図４は、本発明のサプリマスク１００の使用状態を示す説明図である。マスク本体１の布材１ａを面方向に互いに引っ張ることで前記開口部３を開く。これにより開口部３が開くと共に布材１ａと共に第一窓部１１が開き、更に第二窓部２１が開く。この状態で、サプリ袋５１の端部を切断し、内部のサプリメント粉５０を前記開口部３からマスク本体１の内部に入れる。サプリメント粉５０の一部は第一仕切部１０で止まり、その他のサプリメント粉５０は第一窓部１１から落下する。この落下したサプリメント粉５０の一部は、第二仕切部２０で止まり、その他のサプリメント粉５０は第二窓部２１から落下し、マスク本体１の下端近傍に至る。この結果、サプリメント粉５０は、図４中の点線枠で示したエリアＴに主に分布することになる。そして、布材１ａどうしを閉じると共に前記両面テープ４の離型紙を剥して当該開口部３を閉じ、サプリマスク１００を使用する。サプリマスク１００の使用状態では、マスク本体１が立体的に変形することになるので、内部のサプリメント粉５０がその分布位置付近で、ある程度保持される。
【００２１】
マスク本体１は、不織布等の布材１ａからなり高い通気性を有していることから、外側から空気を吸い込むときにサプリメント粉５０を微量に吸い込むことになり、当該サプリメント粉５０を口や鼻から効率よく体内に取り入れることが可能となる。
【００２２】
以上、本発明に係るサプリマスク１００によれば、装着することで微量のサプリメント粉５０を簡単に吸入できる。吸入の効能は、サプリメント粉５０の種類によるものとなる。また、サプリメント粉５０は、サプリ袋５１に封入したものでなくても良い。例えば、瓶等に入れたものを用いるようにしても良い。
【００２３】
（実施の形態２）
図５は、本発明の実施の形態２に係るサプリマスク２００を示す平面図である。このサプリマスク２００は、上記実施の形態１に係るサプリマスク１００と略同一であるが、第二仕切部２２０の第二窓部２２１を、第一仕切部１０の第一窓部１１の設定範囲Ｓと重ねて設けるが、その一部が外側に超えて設けられた点が異なる。その他の構成は、上記実施の形態１と同じであるから同一構成要素には同一符号を付してその説明を省略する。
【００２４】
第二窓部２２１を第一窓部１１の設定範囲Ｓを外側に超えて設けることで、マスク本体１を斜めにしてサプリメント粉５０を入れた場合でも、マスク本体１の下までサプリメント粉５０が行き渡りやすい。また、外側に超えた分、第二仕切部２２０の接合部分が大きくなるので、当該接合部分でのサプリメント粉５０の保持が増加する。
【００２５】
即ち、第一窓部１１と第二窓部２２１との位置関係を調整することで、サプリメント粉５０のマスク本体１に対する分布を調整できる。そして、第一窓部１１と第二窓部２２１とは、開口部３を開くときに同時に開きやすい位置と寸法であり且つサプリメント粉５０が落ちやすい位置関係であることが望ましい。このため、第一窓部１１の設置範囲Ｓに第二窓部２２１がかぶるようにするのが好ましい（実施の形態１も同様である）。
【００２６】
（実施の形態３）
図６は、本発明の実施の形態３に係るサプリマスク用シート体３００を示す斜視図である。このサプリマスク用シート体３００は、上記実施の形態１，２のマスク本体１を通常のマスクＭの面に取り付け可能にした構造となる。なお、実施の形態１，２と同じ構成要素には同一符号を付してその説明を省略する。サプリマスク用シート体３００のマスク本体１の両端近傍には、取付手段である粘着テープ３０１が設けられている。この粘着テープ３０１の離型紙を剥して一般的なマスクＭの表面に貼り付ける。これにより上記実施の形態１，２と同等の作用効果を得ることができ、且つ、一般的に入手できる様々な寸法や種類のマスクＭに使用できるようになる。なお、前記粘着テープ３０１の位置は、マスク本体１の面の両端近傍に限定されない。また、同図では表面に貼り付ける状態を示したが、マスク本体１を貼り付ける面はマスクＭの裏面でも良い。
【００２７】
（実施の形態４）
図７は、本考案の実施の形態に係るサプリマスクを示す斜視図である。なお、以下の構成要素に付与した参照符号は、図７乃至図１２に記したものである。このサプリマスク１００は、素材としてガーゼや不織布等が用いられたマスク本体１と、マスク本体１の中央部に設けたサプリ保持部２と、マスク本体１の周縁近傍に設けた仮固定部３と、前記マスク本体１の両側に設けた掛け紐４とからなる。
【００２８】
図８は、マスク本体の一部断面図である。マスク本体１は、内側不織布層１１と、保持層１２と、外側不織布層１３とを備えている。また、マスク本体１は矩形であり、その三辺近傍（上辺及び側辺であってサプリ保持部の周囲）には、図７に示すように、面テープ等の仮固定部３が帯状に設けられている。また、当該仮固定部３は、前記内側不織布層１１と外側不織布層１３との間に設けられる。仮固定部３により三辺を閉じた場合には、保持層１２を前記内側不織布層１１及び外側不織布層１３により挟んで包み込むような恰好になる。下辺は前記内側不織布層１１と外側不織布層１３とが固定されている。
【００２９】
前記サプリ保持部２は、内側不織布層１１と、保持層１２と、外側不織布層１３とにより構成される。保持層１２は、サプリメント粉６を絡めて保持するための綿体１４により構成される。綿体１４は、繊維状のものがからみあって塊になっているものであり、本考案において繊維の種類は問わない。絹、麻、羊毛、合成繊維のものを適宜使用できる。綿体１４は、サプリメント粉６の保持に用いるものであり、保温等の用途ではないため、内側不織布層１１の表面に対して、薄く展開して貼り付けるようにするのが好ましい。綿体１４を用いることで、サプリメント粉６を簡単に絡め保持でき且つ呼吸時にサプリメント粉６が綿体１４から外れて吸入可能となる。
【００３０】
前記内側不織布層１１及び外側不織布層１３には、通気性が高い密度のものを用いる。例えば、ポリ乳酸や特殊ポリプロピレンから作られた極細繊維を集成した薄手の不織布フィルターを用いる。
【００３１】
図９は、本考案のサプリマスクに用いるサプリ袋を示す説明図である。このサプリ袋５は、内部に粉末状のサプリメント粉６が封入された構成である（図中の破断図示の部分に示す）。サプリメント粉６は、例えば、次の素材を細かく粉砕して所定粒径の粉末状にしたものである。
（１）ニンニク
（２）ハーブ
（３）高麗人参
【００３２】
ニンニクの効能は、抗菌、ガン予防（特に食道、胃、腸などの消化器系の予防）である。また、疲労回復  強壮、強精作用（細胞の酸化を防いだり、新陳代謝を高めて疲労回復を促す作用）やアンチエイジング作用（老化を防いで老廃物を除去する成分により、肌をきれいにして若さを保つこと）、高い殺菌効果、風邪予防、冷え性の改善が期待できる。
【００３３】
ハーブの効能は、ハーブの種類による。例えば、次のようなハーブをサプリメント粉６として使用できる。
ボルトジンユ：花粉症、糖尿病、血糖値、メタボの改善
バーべインブルー：神経の強壮効果、疲れて眠れない夜の鎮静効果
キャンディミント：鎮静作用、胃もたれ・むかつきの緩和
ムスクマロウ  ピンクムスクマロウ：気管支炎、胃腸障害の緩和
ヒソップブルー：咳止め、疲労回復
レディースマントル：のどの痛みや口内の炎症の緩和
バレリアン（セイヨウカノコソウ）：その香りが睡眠をサポート
【００３４】
高麗人参は万能薬として知られていることから、サプリメント粉６として吸入することで様々な効果が期待できる。
【００３５】
前記サプリ袋５は、サプリメント粉６を手軽に扱うために適量を単位として当該サプリメント粉６を封入している。当該サプリ袋５は、紙製又は合成樹脂フィルムを袋状にした長尺なスティック形状である。端部は、容易に切断できるように公知の処理や切り込みが適用されている（図示省略）。
【００３６】
図１０は、このサプリマスクの使用方法を示す説明図である。まず、仮固定部３により外側不織布層１３と固定されている内側不織布層１１を引き上げて内部の保持層１２を露出させる。サプリ袋５の端部を切断し、内部のサプリメント粉６を前記保持層１２の表面に振りかける。保持層１２は、綿体１４により構成されているので当該保持層１２の上にサプリメント粉６を振り掛けると、当該サプリメント粉６が綿体１４に絡み、保持される。サプリメント粉６は、保持層１２に対してまんべんなく振りかけるのが好ましい。なお、振りかけるサプリメント粉６は、１種類ではなくても良い。複数種類のサプリメント粉６を保持層１２に振りかけても良いし、保持層１２の一部に一つのサプリメント粉６を振りかけ、他部に別のサプリメント粉６を振りかけても良い（図示省略）。
【００３７】
次に、内側不織布層１１を保持層１２の上に被せるようにして戻し、仮固定部３により前記内側不織布層１１と外側不織布層１３とを固定する。これにより、図１１及び図１２に示すように、内側不織布層１１と外側不織布層１３との間の保持層１２に、サプリメント粉６が保持されることになる。
【００３８】
内側不織布層１１、外側不織布層１３及び保持層１２は、高い通気性を有していることから、外側から空気を吸い込むときにサプリメント粉６を微量に吸い込むことになり、当該サプリメント粉６を口や鼻から効率よく体内に取り入れることが可能となる。
【００３９】
以上、本考案に係るサプリマスク１００によれば、サプリマスク１００を装着することで微量のサプリメント粉６を簡単に吸入できる。吸入の効能は、サプリメント粉６の種類によるものとなる。なお、サプリメント粉６は、予め保持層にて保持した構造としても良い。その場合、仮固定部は任意に設けるものとする。また、サプリメント粉６は、サプリ袋５に封入したものでなくても良い。例えば、瓶等に入れたものをふりかけるようにしても良い。
【符号の説明】
【００４０】
１００  サプリマスク
１      マスク本体
２      掛け紐
５１    サプリ袋
５０    サプリメント粉
【図１】
2018071028.tif 000003
【図２】
2018071028.tif 000004
【図３】
2018071028.tif 000005
【図４】
2018071028.tif 000006
【図５】
2018071028.tif 000007
【図６】
2018071028.tif 000008
【図７】
2018071028.tif 000009
【図８】
2018071028.tif 000010
【図９】
2018071028.tif 000011
【図１０】
2018071028.tif 000012
【図１１】
2018071028.tif 000013
【図１２】
2018071028.tif 000014